(57)【要約】【課題】映像処理に係る機能を独立した映像処理ユニットとして備えながら、運搬、設置及び配線に係る作業が容易な映像表示装置を提供する。【解決手段】映像処理に係る機能を独立した映像処理ユニット２とし、映像表示ユニット３を小型化しながら、映像記録ユニット１と映像処理ユニット２とを固定して１台のユニットのように扱うことで、運搬、設置に係る手間は従来と同等である。また、配線すべき端子同士を判断しやすい位置に設けて配線作業を容易にし、さらに映像記録ユニット１と映像処理ユニット２とが対応するユニット同士であるか否かを、固定したときの筐体の高さや幅などの外観から判断できる。【選択図】　　　　図１
2004128576.tif 000002
【特許請求の範囲】
【請求項１】
映像データを記録蓄積する映像記録ユニットと、
前記映像記録ユニットから読み出した映像データを処理し映像信号を出力する映像処理ユニットと、
前記映像処理ユニットの出力する前記映像信号を受けて映像を表示する映像表示ユニットと、
前記映像処理ユニットを、前記映像記録ユニットに着脱自在に固定する固定手段と、
を備えることを特徴とする映像表示装置。
【請求項２】
請求項１に記載の映像表示装置であって、
前記映像記録ユニットと、前記映像処理ユニットとを固定したときに、隣り合う全ての前記映像処理ユニットの筐体面と前記映像記録ユニットの筐体面とが同一平面をなすことを特徴とする映像表示装置。
【請求項３】
請求項１に記載の映像表示装置であって、
相互に接続されるべき前記映像記録ユニット及び前記映像処理ユニットの入出力端子が、前記映像記録ユニットと、前記映像処理ユニットとを固定したときに、相互に対応する位置にくるように設けられていることを特徴とする映像表示装置。
【発明の詳細な説明】
【０００１】
【発明の属する技術分野】
この発明は、記録蓄積した映像データを閲覧するための映像表示装置に関する。
【０００２】
【従来の技術】
映像を記録蓄積し、その映像を閲覧するための映像表示装置は、映像を記録蓄積する映像記録ユニットと、映像記録ユニットから読み出した映像データを処理する映像処理ユニットと、映像処理ユニットで処理された映像信号を受け映像を表示する映像表示ユニットとの３つのユニットから構成できる。
【０００３】
従来、この映像表示装置に相当する製品として、主にビデオテープレコーダーとテレビとが利用されてきた。ビデオテープレコーダーは、映像データをビデオテープ上に磁気データとして記録する映像記録ユニットとしての機能の他に、記録された磁気データを読み出しテレビに入力可能な映像データに変換する映像処理に係る機能を持っている。そして、テレビもまた、ビデオテープレコーダーから入力される映像データをＲＧＢ信号に変換したり、受信したテレビ放送の映像データを処理する映像処理に係る機能と、ＲＧＢ信号に基づいて映像を表示する映像表示ユニットとしての機能との両方を持っている。すなわち、ビデオテープレコーダーとテレビの２台で、映像記録ユニット、映像処理ユニット及び映像表示ユニットの３つのユニットの機能を実現していた。
【０００４】
近年、ビデオテープレコーダーやブラウン管方式のテレビに比べ設置スペースを取らずに同様の機能を実現する、ハードディスクレコーダーやＤＶＤレコーダー、液晶ディスプレイテレビやプラズマディスプレイテレビなどが利用されるようになってきたが、特に映像表示ユニットとして、さらに薄型または小型軽量のものが求められている。そこで、最近では、映像処理に係る機能を独立したユニットとして完全に分離することで、薄型または小型軽量を実現した映像表示ユニットが登場している。例えば、テレビ放送の受信電波やビデオテープレコーダーなどの映像記録ユニットからの入力信号を処理する映像処理に係る部分を分離し、薄型の映像表示ユニットを実現した壁掛け式や、小型の映像表示ユニットを実現した車室内専用の液晶ディスプレイなどが実用されている。
【０００５】
【発明が解決しようとする課題】
しかし、従来１台のユニットが持っていた機能を分離することで、同機能を実現するためのユニット数が増えるために、各ユニットの運搬や設置に係る作業の手間や、各ユニット間の煩雑な配線作業が問題となっていた。
【０００６】
そこで、この発明の課題は、映像処理に係る機能を独立した映像処理ユニットとして備えながら、運搬、設置及び配線に係る作業が容易な映像表示装置を提供することにある。
【０００７】
【課題を解決するための手段】
上記課題を解決すべく、請求項１に記載の発明は、映像データを蓄積する映像記録ユニットと、前記映像記録ユニットから読み出した映像データを処理し映像信号を出力する映像処理ユニットと、前記映像処理ユニットの出力する前記映像信号を受けて映像を表示する映像表示ユニットと、前記映像処理ユニットを、前記映像記録ユニットに着脱自在に固定する固定手段とを備えることを特徴とするものである。
【０００８】
請求項２に記載の発明は、請求項１に記載の映像表示装置であって、前記映像記録ユニットと、前記映像処理ユニットとを固定したときに、隣り合う全ての前記映像処理ユニットの筐体面と前記映像記録ユニットの筐体面とが同一平面をなすことを特徴とするものである。
【０００９】
請求項３に記載の発明は、請求項１に記載の映像表示装置であって、相互に接続されるべき前記映像記録ユニット及び前記映像処理ユニットの入出力端子が、前記映像記録ユニットと、前記映像処理ユニットとを固定したときに、相互に対応する位置にくるように設けられていることを特徴とするものである。
【００１０】
【発明の実施の形態】
図１は、この発明の一の実施例に係る映像表示装置の構成図である。本映像表示装置は、ハードディスクレコーダー（映像記録ユニット）１と、ハードディスクレコーダー１に接続されるコントローラー（映像処理ユニット）２と、コントローラー２に接続されるディスプレイ３（映像表示ユニット）とから構成される。利用者は、本映像表示装置を用いて、ハードディスクレコーダー１から読み出し、コントローラー２で処理され、ディスプレイ３上に表示される映像を閲覧することができる。
【００１１】
ハードディスクレコーダー１は、カメラなどの撮像ユニットやテレビ放送の受信ユニットなどから出力される映像データを受け、内蔵するハードディスクユニットに記録する機能と、ハードディスクユニットに記録した映像データを外部へ出力する機能を持つ。
【００１２】
コントローラー２は、ハードディスクレコーダー１が出力する映像データを受け、これを映像表示ユニット３で表示できる映像信号に変換処理し出力する機能を持つ。
【００１３】
ディスプレイ３は、コントローラー２が出力する映像信号を受け、利用者の閲覧する映像を表示する機能を持つ。
【００１４】
なお、ハードディスクレコーダー１及びコントローラー２は、テレビ放送の受信回路を内蔵し、受信したテレビ放送を記録または出力し、ディスプレイ３に表示するテレビチューナーとしての機能を持っていてもよい。また、ハードディスクレコーダー１は映像データに加え音声データを記録し出力する機能を持ち、コントローラー２も同じく音声データを処理する機能を持っていてもよい。
【００１５】
＜映像処理機能の分離＞
本映像表示装置では、映像処理に係る機能を、映像記録ユニットであるハードディスクレコーダー１及び映像表示ユニットであるディスプレイ３とは完全に分離し、コントローラー２という独立したユニットとしている。そのため、従来の映像記録ユニット及び映像処理ユニットの機能を合わせ持つビデオテープレコーダーや、映像処理ユニット及び映像表示ユニットの機能を合わせ持つテレビなどに比べ、各ユニットを小型化することが可能である。特に、映像表示ユニットであるディスプレイ３は、テレビ放送の受信や映像データの処理に係る回路が省略され、液晶ディスプレイなどを利用した薄型のユニットや小型軽量のユニットを実現することが可能である。
【００１６】
また、例えば、従来のビデオテープレコーダーにおいては、映像記録に係る機能は正常で、映像処理に係る機能のみに障害が発生した場合、ビデオテープレコーダー全体の故障として修理や交換などの処置を行う必要があった。しかし、各機能を分離した本映像表示装置では、機能に障害の発生した映像処理ユニットであるコントローラー２のみを修理または交換すればよい。これは、映像表示装置の更新を行う場合も同様で、例えば、映像記録に係る機能または性能が向上した新しい映像記録ユニットが登場した場合、該当する映像記録ユニットであるハードディスクレコーダー１のみを交換すればよい。これらの効果は、映像処理と映像表示の両方に係る機能を持つ従来のテレビに対しても同様である。
【００１７】
このように、映像処理に係る機能を独立したユニットとすることで、従来に比べ、装置の機能維持及び更新に係る費用や手間が軽減されるという効果がある。
【００１８】
＜映像記録ユニット及び映像処理ユニットの固定＞
映像処理に係る機能を独立したユニットとすることで、ユニットの数が増え、各ユニットの運搬や設置に係る作業に手間が生じる可能性がある。しかし、本映像表示装置では、ハードディスクレコーダー１とコントローラー２とを、連結固定することが可能である。ハードディスクレコーダー１とコントローラー２との固定は、図２に示すように双方の筐体にねじ穴４ａを設け、図３に示すようにねじ穴４ａの位置する部分に貫通穴４ｂを設けたプレート５（固定手段）をねじ８を用いてねじ穴４ａに固定し、両ユニットを連結する方法で行う。なお、固定方法は双方の筐体の一面を密着させて連結固定する方法であれば、他の方法であっても構わない。
【００１９】
このようにハードディスクレコーダー１とコントローラー２とを固定できることで、利用者は、２つのユニットを従来のビデオテープレコーダーのように１台のユニットとして運搬や設置に係る作業を行うことができる。
【００２０】
＜配線作業＞
ハードディスクレコーダー１及びコントローラー２には、映像データを送受信するための複数の入出力端子が設けられており、各ユニットを利用する前に、これらを正確に接続する配線作業が必要である。配線に係る作業は煩雑で、配線を誤る可能性もあるが、本映像表示装置では、上述したようにコントローラー２の筐体をハードディスクレコーダー１の筐体に固定することを利用して、誤配線の発生を防ぐことができる。
【００２１】
例えば、図２に示すように、ハードディスクレコーダー１とコントローラー２の接続配線すべき端子６ａ及び７ａ，６ｂ及び７ｂを、双方の筐体を一体化したときに同一平面を構成する筐体面上の同じ高さの位置に設ける。これにより、利用者は、図３に示すように、両ユニットを一体化した後に、同一面上の同じ高さにある隣り合う端子同士６ａ及び７ａ，６ｂ及び７ｂを配線するだけでよい。または、ハードディスクレコーダー１及びコントローラー２の接続配線すべき端子同士を、双方の筐体を一体化したときに接する筐体面上に設け、両ユニットを一体化するだけで対応する端子同士が接触し、接続配線されるような態様であってもよい。
【００２２】
これにより、利用者は、容易に誤ることなく配線に係る作業を行うことができる。
【００２３】
＜対応するユニットの判断＞
同様の外観でありながら機能により差別化された複数種類のハードディスクレコーダー１とコントローラー２が存在し、それぞれ対応するユニット同士を接続しなければ正常に動作しないような場合がある。このような場合、対応するユニット同士を外観から判断することは困難であり、従来は、筐体に対応するユニットを識別するための型式番号などを記しておき、これを照合しながら接続配線などの作業を進めていた。しかし、本映像表示装置では、ユニットの筐体を差別化することで、対応するユニット同士を識別することができる。
【００２４】
例えば、対応するユニットの種類によって筐体の高さや幅を変えることで、ユニットを一体化したときに接する筐体面に段差が生ずれば、種類が異なり対応するユニット同士でないことを識別することができる。すなわち、図３に示すように、ハードディスクレコーダー１にコントローラー２を固定したときに、隣り合う全ての筐体面が段差無く同一平面をなしていれば対応するユニット同士であり、一面でも段差が生じていれば対応するユニット同士ではない。または、筐体を固定する際に接触する筐体面に凹凸を設け、対応するユニット以外では、接触面が密着しない構造とすることで、対応するユニット同士であるか否かを判断するような態様であってもよい。
【００２５】
これにより、利用者は、対応するユニットを、固定するときの外観から容易に判断することができる。
【００２６】
【発明の効果】
請求項１に記載の発明によれば、映像データを蓄積する映像記録ユニットと、映像記録ユニットから読み出した映像データを処理し映像信号を出力する映像処理ユニットと、映像処理ユニットの出力する映像信号を受けて映像を表示する映像表示ユニットとを備え、映像処理ユニットを映像記録ユニットに着脱自在に固定することで、利用者のユニットの設置、運搬に係る手間を軽減することが可能である。
【００２７】
請求項２に記載の発明によれば、映像記録ユニットと、映像処理ユニットとを固定したときに、隣り合う全ての映像処理ユニットの筐体面と映像記録ユニットの筐体面とが同一平面をなすことから、同様の外観を持つ複数種類のユニットがある場合でも、利用者は対応するユニット同士であるか否かを容易に判断することが可能である。
【００２８】
請求項３に記載の発明によれば、相互に接続されるべき映像記録ユニット及び映像処理ユニットの入出力端子が、映像記録ユニットと映像処理ユニットとを固定したときに、相互に対応する位置にくるように設けられていることで、利用者は容易に誤りなく端子を接続することが可能である。
【図面の簡単な説明】
【図１】この発明の一の実施例に係る映像表示装置の構成図である。
【図２】この発明の一の実施例に係る映像記録ユニット及び映像処理ユニットを示す図である。
【図３】この発明の一の実施例に係る映像記録ユニット及び映像処理ユニットを固定したときの様子を示す図である。
【符号の説明】
１　ハードディスクレコーダー
２　コントローラー
３　ディスプレイ
４ａ　ねじ穴
４ｂ　貫通穴
５　プレート
６，７　入出力端子
８　ねじ
【図１】
2004128576.tif 000003
【図２】
2004128576.tif 000004
【図３】
2004128576.tif 000005